(57)【要約】【課題】複数のコードシンボルの中から目標とするものを選択して確実に読み取ること。【解決手段】隣接する複数のコードシンボルを同時に撮像可能な撮像部と、撮像された複数のコードシンボルの画像を表示画面に表示可能な表示部と、画像解析部と、手動スイッチを有する操作部と、操作部からの出力をうけて撮像部と表示部と画像解析部を制御する制御部とを備え、前記制御部は、撮像された複数のコードシンボルの内の所望の１つが前記表示画面の所定表示領域内に表示された状態で前記手動スイッチが作動したとき、所定表示領域内に表示されたコードシンボルの画像を画像解析部に解析させ、解析結果を前記表示画面に表示させることを特徴とするコードシンボル読取装置。【選択図】図２
2015075873.tif 000002
【特許請求の範囲】
【請求項１】
隣接する複数のコードシンボルを同時に撮像可能な撮像部と、撮像された複数のコードシンボルの画像を表示画面に表示可能な表示部と、画像解析部と、手動スイッチを有する操作部と、操作部からの出力をうけて撮像部と表示部と画像解析部を制御する制御部とを備え、前記制御部は、撮像された複数のコードシンボルの内の所望の１つが前記表示画面の所定表示領域内に表示された状態で前記手動スイッチが作動したとき、所定表示領域内に表示されたコードシンボルの画像を画像解析部に解析させ、解析結果を前記表示画面に表示させることを特徴とするコードシンボル読取装置。
【請求項２】
前記コードシンボルはマトリックス型２次元コードを表す請求項１記載のコードシンボル読取装置。
【請求項３】
前記撮像部はフォーカス調整部を備え、制御部は手動スイッチの作動と同時にフォーカス調整部の作動を開始させる請求項１又は２記載のコードシンボル読取装置。
【請求項４】
制御部は撮像部に所定時間毎にコードシンボルを撮像させ、撮像されたコードシンボルを表示部に動画として表示させる請求項１〜３のいずれか１つに記載のコードシンボル読取装置。
【請求項５】
撮像部はフォーカス調整部を備え、制御部は手動スイッチの作動と同時にフォーカス調整部の作動を開始させ、かつ、撮像部に前記コードシンボルを連続的にくり返し撮像させて画像解析部に解析させる請求項１記載のコードシンボル読取装置。
【請求項６】
画像解析部はコードシンボルの画像をデコード処理することによって解析を行う請求項１〜５のいずれか１つに記載のコードシンボル読取装置。
【発明の詳細な説明】
【技術分野】
【０００１】
この発明はコードシンボル読取装置に関する。
【背景技術】
【０００２】
この発明に関する背景技術としては、コードシンボルを撮像する撮像部と、前記撮像部により撮像された画像データを解析処理する解析処理部と、前記解析処理部により解析処理された画像データのうち、コードシンボルを構成するモジュールの図形が複雑な図形か否かを判定する判定部と、前記判定部によりモジュールの図形が複雑な図形であると判定された場合、コードシンボルとして自動認識しないで、コードシンボルの読み取りを手動入力に切り替える切替部とを備え、コードシンボルに値引き表示等が施されている場合には、値引き情報を手動入力して値引き前の値段を誤って読み取ることを防止するようにしたコードシンボル読取装置が知られている（例えば、特許文献１参照）。
【先行技術文献】
【特許文献】
【０００３】
【特許文献１】特開２０１１−１８２８９号公報
【発明の概要】
【発明が解決しようとする課題】
【０００４】
このようなコードシンボル読取装置では、コードシンボルに値引き表示が施されている場合に値引き前の値段を誤って読取ることを防止するが、複数のコードシンボルが隣接して存在する場合、読み取るべきでないコードシンボルを誤って読み取ることがあるという問題がある。
【０００５】
この発明は、このような事情を考慮してなされたもので、複数のコードシンボルが隣接して存在しても、目標とするコードシンボルを誤りなく読み取ることが可能なコードシンボル読取装置を提供するものである。
【課題を解決するための手段】
【０００６】
この発明は、隣接する複数のコードシンボルを同時に撮像可能な撮像部と、撮像された複数のコードシンボルの画像を表示画面に表示可能な表示部と、画像解析部と、手動スイッチを有する操作部と、操作部からの出力をうけて撮像部と表示部と画像解析部を制御する制御部とを備え、前記制御部は、撮像された複数のコードシンボルの内の所望の１つが前記表示画面の所定表示領域内に表示された状態で前記手動スイッチが作動したとき、所定表示領域内に表示されたコードシンボルの画像を画像解析部に解析させ、解析結果を前記表示画面に表示させることを特徴とするコードシンボル読取装置を提供するものである。
【発明の効果】
【０００７】
この発明によれば、複数のコードシンボルの内の所望の１つが表示画面の所定領域内に表示されたとき、そのコードシンボルの画像を解析して読み取るので、複数のコードシンボルが隣接して存在しても、所望のコードシンボルを確実に読み取ることができる。
【図面の簡単な説明】
【０００８】
【図１】この発明の第一の実施形態のコードシンボル読取装置の構成を示すブロック図である。
【図２】図１に示すコードシンボル読取装置の動作の要部を示すフローチャートである。
【図３】図１に示すコードシンボル読取装置の表示画面を示す説明図である。
【図４】図３に示す表示画面の表示例を示す説明図である。
【図５】この発明の第２の実施形態を示す図２対応図である。
【発明を実施するための形態】
【０００９】
この発明のコードシンボル読取装置は、隣接する複数のコードシンボルを同時に撮像可能な撮像部と、撮像された複数のコードシンボルの画像を表示画面に表示可能な表示部と、画像解析部と、手動スイッチを有する操作部と、操作部からの出力をうけて撮像部と表示部と画像解析部を制御する制御部とを備え、前記制御部は、撮像された複数のコードシンボルの内の所望の１つが前記表示画面の所定表示領域内に表示された状態で前記手動スイッチが作動したとき、所定表示領域内に表示されたコードシンボルの画像を画像解析部に解析させ、解析結果を前記表示画面に表示させることを特徴とする。
【００１０】
前記コードシンボルはマトリックス型２次元コードを表してもよい。
前記撮像部はフォーカス調整部を備え、制御部は手動スイッチの作動と同時にフォーカス調整部の作動を開始させてもよい。
【００１１】
制御部は撮像部に所定時間毎にコードシンボルを撮像させ、撮像されたコードシンボルを表示部に動画として表示させてもよい。
撮像部はフォーカス調整部を備え、制御部は手動スイッチの作動と同時にフォーカス調整部の作動を開始させ、かつ、撮像部に前記コードシンボルをくり返し撮像させて画像解析部に解析させてもよい。
【００１２】
以下、図面に示す第一の実施形態を用いてこの発明を詳述する。
図１はこの発明の実施形態のコードシンボル読取装置のブロック図である。図２は図１のコードシンボル読取装置の動作の要部を示すフローチャート、図３は図１に示すコードシンボル読取装置の表示部の表示画面を示す説明図、図４は図３に示す表示画面の表示例を示す説明図である。
【００１３】
図１に示すようにこの発明によるコードシンボル読取装置は、隣接する複数のコードシンボルを同時に撮像可能な撮像部１０と、撮像された複数のコードシンボルの画像を表示画面２１（図３）に表示可能な表示部２０と、画像解析部３０と、手動スイッチを有する操作部４０と、操作部４０からの出力を受けて、撮像部１０と表示部２０と画像解析部３０を制御する制御部５０を備える。
【００１４】
そして、制御部５０は、撮像された複数のコードシンボルの内の所望の１つが表示画面２１の所定領域２２（図３）内に表示された状態で前記手動スイッチが作動したとき、所定領域２２内に表示されたコードシンボルの画像を画像解析部３０に解析させ、解析結果を表示画面２１に表示させるようになっている。
【００１５】
この実施形態では、コードシンボルとしてマトリックス型２次元コード、つまりＱＲコード（登録商標）を用いる。
【００１６】
また、撮像部１０はフォーカス調整部１５（図１）を備え、制御部５０は手動スイッチの作動と同時にフォーカス調整部１５の作動を開始させるようになっている。
【００１７】
また、制御部５０は撮像部１０に所定時間（例えば、数分の１〜数十分の１秒）毎にコードシンボルを連続的に撮像させ、撮像されたコードシンボルを表示部２０に動画として表示させることができる。
【００１８】
さらに、具体的に説明すると、図１に示す撮像部１０は、集光レンズ１１、絞り１２、撮像素子１３、Ａ／Ｄ変換器１４、画像データを一時的に格納するＲＡＭ１７、集光レンズ１１のフォーカス（焦点）を調整するフォーカス調整部１５、絞り１２を調整する絞り調整部１６などから構成される。
【００１９】
制御部５０は、ＣＰＵ、ＲＯＭ、ＲＡＭからなるマイクロコンピュータを備える。表示部２０はＬＣＤで構成される表示画面２１（図３）を有し、表示画面２１はその中央に区画された所定領域２２を備える。
【００２０】
操作部４０は、電源ＯＮ／ＯＦＦスイッチやシャッタ速度設定スイッチや、コードシンボルを自動的に認識させるための「自動認識」用押釦スイッチ（手動スイッチ）など、コードシンボルの読み取り操作に必要なスイッチ類を備える。
【００２１】
撮像素子１３はＣＣＤで構成され、制御部５０の指令により電荷の蓄積時間（シャッタ速度）を制御する、いわゆる電子シャッタ機能を有している。
フォーカス調整部１５は集光レンズ１１を前後に移動させるモータを備え、撮像素子１３で連続撮像される画像のコントラストが最大になるように制御部５０によって制御される。
【００２２】
絞り調整部１６は集光レンズ１１からの光が絞り１２の開口を介して撮像素子１３に伝達される時、その開口径をモータによって制御し、絞り１２の明るさを制限する。絞り調整部１６は、撮像素子１３の電子シャッタ速度に応じて適正な明るさの画像が得られるように制御部５０により制御される。また、ＲＡＭ６０は表示部２０に表示する画像データを格納する。
【００２３】
集光レンズ１１から撮像素子１３へ集光される光が数分の１秒〜数十分の１秒（例えば１／３０秒）毎にデジタル画像データに変換されてＲＡＭ６０に転送され、表示部２０に動画として表示される。これによって表示部２０は電子ファインダ機能を実現することができる。
画像解析部３０は、ＲＡＭ１７に格納されるコードシンボルの画像データをデコード処理によって解析し、その解析結果を表示部２０に表示するようになっている。
【００２４】
図３は表示部２０（図１）の表示画面２１を示す正面図であり、表示画面２１はその中央部に所定の表示領域２２を備える。なお、ＲＡＭ１７には、所定表示領域２２内に表示される画像の画像データのみが格納される。
【００２５】
このような構成におけるコードシンボル読取装置の動作を図２に示すフローチャートを用いて説明する。
まず、オペレータは、操作部４０（図１）において、電源ＯＮ／ＯＦＦスイッチを投入し、シャッタ速度を例えば１／３０秒に設定し、「自動認識」用押釦スイッチがＯＦＦ状態であることを確認する（ステップＳ１）。
【００２６】
レンズ１１を複数のコードシンボルが記録された被写体に向けると、複数のコードシンボルが撮像され（ステップＳ２）、表示部２０の表示画面２１に複数のコードシンボルが動画として表示される（ステップＳ３）。
【００２７】
そこで、オペレータは、図４に示すように表示された複数コードシンボルＣ１〜Ｃ６の内、所望のコードシンボルＣ３が所定表示領域２２内に表示されるように撮像部１０を設定する。
【００２８】
図４に示すように所定表示領域２２内にコードシンボルＣ３が表示されると（ステップＳ４）、オペレータによって操作部４０の「自動認識」用押釦スイッチが押される（ステップＳ５）。
【００２９】
それによって、フォーカス調整動作が開始されると共に（ステップＳ６）、所定表示領域２２内に表示されたコードシンボルＣ３の撮像動作（ステップＳ７）と撮像されたコードシンボルＣ３のデコード（復号化）処理が行われる（ステップＳ８）。
【００３０】
デコード処理が成功すると（ステップＳ９）、その結果が表示部２０の表示画面２１に表示される（ステップＳ１１）。その後、所定時間（例えば１０秒間）だけ表示が行われると（ステップ１２）、ルーチンはステップＳ１に戻る。
【００３１】
なお、ステップＳ５において、オペレータが「自動認識」用押釦スイッチを押さないときには、ルーチンはステップＳ１へ戻る。
【００３２】
また、ステップＳ９においてデコード処理が成功しない場合はルーチンはステップＳ８へ戻り、デコード処理がくり返され、所定時間（例えば５秒間）デコード処理が成功しない時には（ステップＳ１０）、ルーチンはステップＳ１へ戻る。
【００３３】
このようにしてこの発明のコードシンボル読取装置は、複数のコードシンボルが存在しても、その中から目的とするものを確実に選択して読み取ることができる。
【００３４】
また、第二の実施形態として、制御部５０はフォーカス調整部１５を連続的に作動させ、かつ、撮像部１０にコードシンボルを連続的にくり返し撮像させて画像解析部３０に解析させるようにしてもよい。
【００３５】
この場合のコードシンボル読取装置の動作を図５のフローチャートに示す。このフローチャートでは、ステップＳ１〜Ｓ９、Ｓ１１に示す動作は、前述の第一の実施形態の図２に示す動作と同等である。
しかし、この実施形態では、ステップＳ９において、デコード処理が成功しない場合には、ルーチンはステップＳ６へ戻り、フォーカス調整動作が再び行われる。
フォーカスが再調整されたシンボルＣ３の撮像が行われ（ステップＳ７）、撮像されたコードシンボルＣ３のデコード（復号化）処理が行われる。
【００３６】
このステップＳ６〜Ｓ９の動作が、デコード処理が成功するか、所定時間が経過するまでくり返され、ルーチンはステップＳ１へ戻る。
【００３７】
このようにして、第二の実施形態ではコードシンボルを連続的にくり返し撮像して解析するので、コードシンボルの読取り精度がさらに向上する。
【符号の説明】
【００３８】
１０  撮像部
１１  集光レンズ
１２  絞り
１３  撮像素子
１４  Ａ／Ｄ変換器
１５  フォーカス調整部
１６  絞り調整部
１７  ＲＡＭ
２０  表示部
２１  表示画面
２２  所定表示領域
３０  画像解析部
４０  操作部
５０  制御部
６０  ＲＡＭ
【図１】
2015075873.tif 000003
【図２】
2015075873.tif 000004
【図３】
2015075873.tif 000005
【図４】
2015075873.tif 000006
【図５】
2015075873.tif 000007